(57)【要約】【課題】            救急患者等の識別情報（住所、氏名、携帯電話番号、自動車免許証番号、ＩＤ番号、写真、指紋など）に基づいて得られる患者自身の医療情報を、ユーザ（例えば、医療施設、医師）に提供することで、医療現場において適切な医療措置を迅速に実施可能とする医療情報提供サービスシステムおよび医療情報提供サーバを提供する。【解決手段】        個人の医療情報を医療情報提供サーバのデータベースに保持し、ユーザから要請があった時は、このデータベースから読み出した医療情報を、通信ネットワークを介して情報提供の要請のあったユーザ側端末に送信する。【選択図】          図１
2008158820.tif 000002
【特許請求の範囲】
【請求項１】
ユーザの出力要求に応じて医療情報をデータベースから読み出し通信ネットワークを介してユーザに送信する医療情報提供サーバと、医療情報の提供を前記医療情報提供サーバに対して通信ネットワークを介して要求するユーザ側端末と、を備え、
医療情報提供サーバの備えるデータベースには、個人の医療情報が識別情報と対応付けて、また、ユーザの登録情報が識別情報と対応付けて、それぞれ格納されており、
ユーザは、ＩＤ番号および／またはパスワードを使用して医療情報提供サーバに個人の医療情報の出力を要求し、
ユーザの出力要求があった時は、医療情報提供サーバは、ユーザの識別情報に基づきデータベースのユーザの登録情報を検索して登録会員の有無を確認し、登録会員の確認ができた時は、出力要求のあった個人の識別情報に基づきデータベースを検索し、出力要求のあった個人の医療情報の存在の有無を確認し、要求のあった個人の医療情報が格納されていることが確認できたときは、出力要求のあった個人の本人確認情報をデータベースより読み出しユーザ側端末に送信し、
ユーザ側端末が本人確認情報を受信し、本人確認を肯定した時は、ユーザ側端末が確認した情報を、前記医療情報提供サーバに送信し、
これを受信した医療情報提供サーバは、前記ユーザ側端末に、要求のあった個人の医療情報を送信することを特徴とする医療情報提供サービスシステム。
【請求項２】
前記ユーザ側端末が本人確認情報を受信し、本人確認を肯定した時に、ユーザ側端末が医療情報提供サーバに送信する確認情報には、ユーザの会員番号、ＩＤ番号およびパスワードのいずれかを含むことを特徴とする請求項１記載の医療情報提供サービスシステム。
【請求項３】
前記ユーザ側端末は、医療施設側端末、個人側端末および保険業者側端末である請求項１または２記載の医療情報提供サービスシステム。
【請求項４】
個人の医療情報が識別情報と対応付けて、また、ユーザの登録情報が識別情報と対応付けて、それぞれ格納されているデータベースを備え、
ユーザの出力要求があった時は、ユーザの提供する、出力要求のあった個人の識別情報に基づきデータベースを検索し、出力要求のあった個人の医療情報の存在の有無を確認し、要求のあった個人の医療情報の格納が確認できたときは、出力要求のあった個人の本人確認情報をデータベースより読み出しユーザ側端末に送信し、
ユーザ側端末の本人確認情報に基づく本人確認の肯定情報に基づき、ユーザ側端末に、要求のあった個人の医療情報を送信することを特徴とする医療情報提供サーバ。
【請求項５】
前記ユーザ側端末は、医療施設側端末、個人側端末および保険業者側端末のいずれかである請求項４記載の医療情報提供サーバ。
【発明の詳細な説明】
【技術分野】
【０００１】
本発明は、医療施設等からの要請に基づき患者となる個人の医療情報を、ネットワークシステムを介して得られるようにする医療情報提供サービスシステムおよび医療情報提供サーバに関する。
【背景技術】
【０００２】
自動車事故等の不慮の事故や救急を要する病気が発生した場合には、通常、被害者や病人は最寄りの救急医療施設に搬送されて、救急医療や救命措置が講じられる。この場合に、医療施設ではその被害者や病人の医療情報（カルテ）を持っていないために、つまり行きつけの医療施設でないために、救急患者等の現在の被害（傷害）状況に応じた一般的な手順による処置が行われる。
【０００３】
また、前記被害者や病人は一人一人体質や身体的特徴が異なり、例えばアレルギー、血液型、血圧、遺伝、既往症などについて体質が異なるものであり、被害者や病人が口頭で医師や看護士に告知しない限り、医療施設側では検査しなければ把握することはできない。
【０００４】
また、救急医療機関等で一般的に実施される救急処置では、急を要するにもかかわらず各種の検査をするため、特に必須の救急処置が遅滞するほか、注射や投薬の副作用によるアレルギー異常の発生や過敏症の発症によって、状態をさらに悪化させる場合があり、結果として適切で必要な医療を速やかに実施できない場合があるという問題があった。
また、救急処置を要する患者等の状態によっては問診を行えない場合があり、従って適切で必要な救急処置を行うのが遅れるという不都合があった。このような不都合は、救急医療施設が救急患者の基礎的な医療データを持たないことに起因する。
【０００５】
そこで、従来はこのような課題を解決するために、アレルギー、血液型、血圧、既往症、などの医療情報を記載した携帯用のカード（例えば、特許文献１参照）が提案されている。これにより該カードを携帯することで、不慮の事故にあっても医療情報が把握でき、速やかに適切な処置、治療が行える。例えば、交通事故などによって本人に意識がなくても、そのカードの情報に基づいて適切な治療が速やかに行える。
【特許文献１】実用新案登録第３０７９５０１号公報
【発明の開示】
【発明が解決しようとする課題】
【０００６】
しかしながら、前記のような携帯用カードでは、情報が漏れやすくプライバシーの保護に欠ける課題がある。また、カードでは医療情報の記載に限界があるために、病院や医師が知りたい情報、病院や医師に伝えたい情報が不充分となる課題がある。
【０００７】
この情報不足になる課題は、例えば、サーバが医療情報を格納するデータベースを保有し、ユーザ（クライアント）からの要求を受けて処理を行い、結果をユーザに送信することで解決できる。しかしながら、これをシステム化するには、
（１）医療情報を誰でも参照できてしまうので、患者のプライバシー情報が保てない。
（２）本人でなく他人の医療情報が提供される事故の発生が生ずる可能性がある。
等の解決すべき課題がある。
【０００８】
本発明は、このような従来の課題を解決せんと提案されたものであり、その目的は、医療情報提供者が運営する医療情報提供サーバから救急患者等の識別情報（住所、氏名、携帯電話番号、自動車免許証番号、健康保険証番号、ＩＤ番号、写真、指紋など）に基づいて得られる患者自身の医療情報を、ユーザ（例えば、医療施設、医師）に提供することで、医療現場において適切な医療措置を迅速に実施可能とする医療情報提供サービスシステムおよび医療情報提供サーバを提供することにある。
この時の医療情報の提供に際しては、本人であることを確定する本人確認情報（例えば、写真、指紋、血液型など）に基づいて医療情報提供サーバとユーザ（クライアント）側で互いに確認した後でないと医療情報は提供されないようにすることによって、誤った情報の提供を防止している。
【課題を解決するための手段】
【０００９】
前記目的達成のために、本発明にかかる医療情報提供サービスシステムは、ユーザの出力要求に応じて医療情報をデータベースから読み出し通信ネットワークを介してユーザに送信する医療情報提供サーバと、医療情報の提供を前記医療情報提供サーバに対して通信ネットワークを介して要求するユーザ側端末と、を備え、
医療情報提供サーバの備えるデータベースには、個人の医療情報が識別情報と対応付けて、また、ユーザの登録情報が識別情報と対応付けて、それぞれ格納されており、
ユーザは、ＩＤ番号および／またはパスワードを使用して医療情報提供サーバに個人の医療情報の出力を要求し、
ユーザの出力要求があった時は、医療情報提供サーバは、ユーザの識別情報に基づきデータベースのユーザの登録情報を検索して登録会員の有無を確認し、登録会員の確認ができた時は、出力要求のあった個人の識別情報に基づきデータベースを検索し、出力要求のあった個人の医療情報の存在の有無を確認し、要求のあった個人の医療情報が格納されていることが確認できたときは、出力要求のあった個人の本人確認情報をデータベースより読み出しユーザ側端末に送信し、
ユーザ側端末が本人確認情報を受信し、本人確認を肯定した時は、ユーザ側端末が確認した情報を、前記医療情報提供サーバに送信し、
これを受信した医療情報提供サーバは、前記ユーザ側端末に、要求のあった個人の医療情報を送信することを特徴とする。
前記ユーザ側端末としては、医療施設側端末、個人側端末および保険業者側端末を、例示することができる。
【００１０】
医療施設側端末としては、施設内の医師、看護師、その他の医療従事者を想定しており、個人側端末としては、情報源である個人や患者を想定し、保険業者側端末としては、保険営業者や契約担当者等を想定している。
なお、ユーザ側端末には、ユーザが指定した端末も含まれる。
この発明の端末としては、携帯電話、パソコンを想定しているが、ＰＨＳ、ＰＤＡ、固定電話、ＦＡＸなど、でもよい。また、通信ネットワークは、有線でも、無線でもよい。
【００１１】
上記構成により医療情報提供サーバは、データベースに識別情報と対応付けて登録（格納）した個人ごとの医療情報を、ユーザ側端末（例えば、医療施設側端末）からの要請に基づいて、前記データベースから読み出して提供できるとともに、ユーザ、例えば医療施設では、この医療情報に基づき個人である前記患者に対して適切な医療措置を迅速に実施することができる。
【００１２】
この時の医療情報の提供に際しては、ユーザから出力要求があった時は、医療情報提供サーバは、データベースに格納されている要求のあった個人の本人確認情報（例えば、写真、指紋、血液型など）を読み出し、ユーザ側端末に送信し、出力要求した本人であるかどうかの確認をした後でないと医療情報は提供されないので、誤って他人の情報が提供されることもない。これにより他人の医療情報で医療措置を実施することによる医療ミスを防止することができる。
また、ユーザＩＤやパスワードによるユーザ認証で医療情報を提供するので、プライバシー情報の漏洩も防止でき、セキュリティの管理の点でも保証できるものとなる。
【００１３】
また、本発明の医療情報提供サービスシステムの前記ユーザ側端末が本人確認情報を受信し、本人確認を肯定した時に、ユーザ側端末が医療情報提供サーバに送信する確認情報には、ユーザの会員番号、ＩＤ番号およびパスワードのいずれかを含むことを特徴とする。
これにより本人確認は、医療情報の出力要求のあったユーザが確認したことが明確になり、サーバとユーザ間での齟齬がなくなり、誤った情報の提供が確実に防止できる。即ち、提供された医療情報は、必ず要求のあった本人のものとなる。
【００１４】
また、本発明にかかる医療情報提供サーバは、個人の医療情報が識別情報と対応付けて、また、ユーザの登録情報が識別情報と対応付けて、それぞれ格納されているデータベースを備え、
ユーザの出力要求があった時は、ユーザの提供する、出力要求のあった個人の識別情報に基づきデータベースを検索し、出力要求のあった個人の医療情報の存在の有無を確認し、要求のあった個人の医療情報の格納が確認できたときは、出力要求のあった個人の本人確認情報をデータベースより読み出しユーザ側端末に送信し、
ユーザ側端末の本人確認情報に基づく本人確認の肯定情報に基づき、ユーザ側端末に、要求のあった個人の医療情報を送信することを特徴とする。
前記ユーザ側端末は、医療施設側端末、個人側端末および保険業者側端末のいずれかを、好ましい例として挙げることができる。
【００１５】
この構成により、医療情報提供サーバは、ユーザ、例えば医療施設や個人、または保険業者から要求があった個人の医療情報の提供を、速やかに実施することができるとともに、医療情報提供業者は医療情報提供に対する対価を前記医療施設や保険業者から受けることができる。
【００１６】
なお、本発明で医療情報提供サーバがデータベースに格納する医療情報としては、氏名、住所、電話番号（携帯および固定）、緊急連絡場所、所属企業名、所属企業の住所、電話番号、顔写真、指紋、歯形、身体的特徴、健康保険証番号、運転免許証番号、血液型、平常時の体温、脈拍、病歴、アレルギー、既往症、服用中の薬剤名、受診機関（病院、担当医等）、等を挙げることができ、この内の顔写真、指紋、歯形、血液型、身体的特徴、等は、有効な本人確認情報となる。これらの医療情報は、各個人ごとに識別情報、例えば、ＩＤ番号やパスワードと対応付けて格納されている。これらの医療情報は、区分けしてファイルしてもよい。
【００１７】
また、ユーザの登録情報としては、登録会員である会員番号、登録会員である医療施設、施設内の医師、看護師、その他の医療従事者等の名称、氏名、住所、専門、所属部署、電話番号、および登録会員である保険会社、使用する社員等の名称、氏名、住所、所属部署、電話番号、等を挙げることができる。また、ユーザの登録情報には、格納されている医療情報の情報源である個人や患者も含まれる。これらのユーザ登録情報は、各ユーザ毎に識別情報、例えば、ＩＤ番号パスワードと対応付けて格納されている。
【発明の効果】
【００１８】
本発明にかかる医療情報提供サービスシステム及び医療情報提供サーバによれば、次のような効果を奏する。
（１）医療情報提供サーバは、データベースに識別情報と対応付けて登録（格納）した個人ごとの医療情報を、ユーザ側端末（例えば、医療施設側端末）からの要請に基づいて前記データベースから読み出して提供できるとともに、ユーザ、例えば医療施設では、この医療情報に基づき患者に対して適切な医療措置を迅速に実施することができる。
【００１９】
（２）医療情報の提供に際しては、ユーザから出力要求があった時は、医療情報提供サーバは、データベースに格納されている要求のあった個人の本人確認情報（例えば、写真、指紋、血液型など）を読み出し、ユーザ側端末に送信し、出力要求した本人であるかどうかの確認をした後でないと医療情報は提供されないので、誤って他人の情報が提供されることもない。これにより他人の医療情報で医療措置を実施することによる医療ミスを防止することができる。
【００２０】
（３）医療情報提供サーバは、データベースに格納されている医療情報の、氏名、住所、電話番号、健康保険証番号、運転免許証番号、等から、個人側端末（患者）の医療情報の存在の有無の確認ができるので、患者が意識を失ったり、衰弱していても、医療施設では前記のような患者本人の情報から医療情報提供サーバに問い合わせて医療情報の存在の有無を確認して、医療情報の提供を求めることができる。
【００２１】
（４）保険業者及び保険に加入しようとするものは、医療情報提供サーバの格納する医療情報を利用することによって、契約の際の資料とすることができる。コレにより保険に加入しようとする者は、改めて検査することが不要となるし、保険業者は加入しようとする者の健康状態の確認ができる。
【００２２】
（５）セキュリティの管理の点では、ユーザＩＤやパスワードによるユーザ認証で医療情報を提供するので、プライバシーの情報の漏洩も防止できる。
【発明を実施するための最良の形態】
【００２３】
以下、本発明の実施の形態を、図面を参照しながら詳細に説明する。図１は、本発明の実施の形態を示す医療情報提供サービスシステムのブロック図である。
この医療情報提供サービスシステムは、医療情報提供サーバ１とユーザ側端末２とを備え、医療情報提供サーバ１とユーザ側端末２とは、通信ネットワーク４を介して接続されている。ユーザ側端末２は、図面では単数しか示していないが、実際には通信ネットワーク４には複数が接続される。医療情報提供サーバ１は、医療情報およびユーザ登録情報を格納するデータベース３を備える。本例ではデータベース３として、医療情報データベース３ａとユーザ登録情報データベース３ｂを備える。
【００２４】
医療情報データベース３ａには、個人の医療情報が識別情報と対応付けて格納されている。ユーザ登録情報データベース３ｂには、ユーザーの登録情報が識別情報と対応付けて格納されている。
そして、医療情報提供サーバ１は、ユーザからの要求に応じてデータベース３から読み出した医療情報を、通信ネットワーク４を介してユーザ側端末２に送信するよう機能し、ユーザ側端末２は、必要とする個人（例えば、患者）の医療情報の提供を、通信ネットワーク４を介して医療情報提供サーバ１に対して要求するように機能する。
【００２５】
前記医療情報データベース３ａに格納される医療情報としては、氏名、住所、電話番号（携帯および固定）、緊急連絡場所、所属企業名、所属企業の住所、電話番号、顔写真、指紋、歯形、身体的特徴、健康保険証番号、運転免許証番号、血液型、平常時の体温、脈拍、病歴、アレルギー、既往症、服用中の薬剤名、受診機関（病院、担当医等）、等を挙げることができ、この内の顔写真、指紋、歯形、血液型、身体的特徴、等は、有効な本人確認情報となる。これらの医療情報は、各個人毎に識別情報と対応付けて格納されている。この場合の識別情報としてはＩＤ番号やパスワードを好ましい例として挙げることができる。
しかし、ユーザが医療施設（例えば、病院、医師）である場合には、患者が意識不明であったり、衰弱していてＩＤ番号やパスワードが不明で使用不可の場合も多い。このようなために医療情報の検索は、氏名、住所、電話番号、健康保険証番号、運転免許証番号、等からも検索可能とするのがより好ましい。これにより患者が意識不明であったり、衰弱していても、医療施設では前記のような患者本人の情報から医療情報提供サーバ１に問い合わせて医療情報の存在の有無を確認して、医療情報の提供を求めることができる。
【００２６】
また、前記ユーザ登録情報データベース３ｂに格納されるユーザの登録情報としては、登録会員である会員番号、登録会員である医療施設、施設内の医師、看護師、その他の医療従事者等の名称、氏名、住所、専門、所属部署、電話番号、および登録会員である保険会社、使用する社員等の名称、氏名、住所、所属部署、電話番号、等を挙げることができる。また、ユーザの登録情報には、格納されている医療情報の情報源である個人や患者も含まれる。これらのユーザ登録情報は、各ユーザ毎に識別情報、例えば、ＩＤ番号やパスワードと対応付けて格納されている。
【００２７】
図２は、この実施の形態に示す医療情報提供サービスシステムの手続を示すフローチャーチである。
まず、ユーザは、ユーザ側端末２より医療情報提供サーバ１に、医療情報の提供の要求（出力要求）をする（ステップＳ１）。ユーザの出力要求があったときは、医療情報提供サーバ１は、ユーザが提供するユーザの識別情報（例えば、会員番号、ＩＤ番号、パスワード等）に基づきユーザ登録情報データベース３ｂを検索して登録会員の有無を確認する（ステップＳ２）。登録会員の確認ができた時は、ユーザの提供した出力要求のあった個人の識別情報に基づき医療情報データベース３ａを検索し、出力要求のあった個人の医療情報が格納されているかどうか確認し（ステップＳ３）、格納されていることが確認できた時は、出力要求のあった個人の本人確認情報を医療情報データベース３ａより読み出しユーザ側端末２に送信する（ステップＳ４）。ユーザ側端末２が本人確認の情報を受信し、本人確認をして肯定する判定の時は、ユーザ側端末２は、確認した情報を前記医療情報提供サーバ１に送信する（ステップＳ５）。これを受信した医療情報提供サーバ１は、前記ユーザ側端末２に要求のあった個人の医療情報を送信する（ステップＳ６）。
この時のユーザ側端末２が本人確認情報を受信し、本人確認を肯定した時に、ユーザ側端末２が医療情報提供サーバ１に送信する確認情報には、ユーザの会員番号、ＩＤ番号およびパスワードのいずれかを含むことが好ましい。これにより本人確認は、要求したユーザが確認したことを知ることができるからである。
【００２８】
この実施の形態におけるユーザ側端末２としては、携帯電話、ＰＨＳ、ＰＤＡなどを想定しているが、パーソナルコンピュータ（パソコン）、ＦＡＸ、固定電話等であってもよい。
【００２９】
図３は、本発明の他の実施の形態を示す医療情報提供サービスシステムのブロック図である。本例は、ユーザ側端末２として、複数の医療施設側端末２ａ、複数の個人側端末２ｂ、複数の保険会社側端末２ｃを示している点の他は、前記実施の形態と同様である。
即ち、医療情報提供サーバ１、複数の医療施設側端末２ａ、複数の個人側端末２ｂ、複数の保険会社側端末２ｃが接続装置（図示を省略）を介して通信ネットワーク４に接続されている。医療情報提供サーバ１は、パーソナルコンピュータ（パソコン）からなり、多数の個人の医療情報を、各個人を識別する識別情報（例えば、ＩＤ番号）対応でデータベース３に保持している。このデータベース３に格納されている情報は、医療情報及びユーザ登録情報であり、前記実施の形態と同様であり、その具体的情報も前記実施の形態と同様である。
【００３０】
医療施設側端末２ａは、パーソナルコンピュータなどのコンピュータからなり、
医療施設に設置されて、前記医療情報提供サーバ１に対し前記個人の医療情報の提供を要請することができる。個人が医療を受ける医療施設には掛かりつけの医院のほか、掛かりつけでない救急病院と呼ばれる医療施設がある。医療施設が、患者が掛かりつけの医療施設である場合には、ここで作成されたカルテに記載の医療情報を救急医療支援情報としてそのまま参照できるため、直ちに適切かつ迅速に医師による救急措置に入ることができる。
【００３１】
また、医療施設が、患者の掛かりつけの医院でない場合には、患者の所持物などから分かる範囲で得られた患者の住所・氏名、運転免許証番号、電話番号、写真、あるいは身体的特徴などを、ネットワーク４を介して医療情報提供サーバ１に提示し、患者の特定および医療情報の提供を依頼する。
【００３２】
医療施設側端末２ａから医療情報の提供を要請された医療情報提供サーバ１は、医療施設側が提供する医療施設の識別情報（例えば、会員番号、ＩＤ番号、パスワード等）に基づき、データベース３を検索して登録会員の有無を確認し、登録会員の確認ができた時は、医療施設側より要請のあった個人の識別情報（前記患者の住所、氏名、運転免許証番号、電話番号、写真あるいは身体的特徴など）に基づき、データベース３を検索し、要請のあった個人の医療情報が格納されているか否かを確認し、格納されていることが確認できた時は、要請のあった個人の本人確認情報（例えば、顔写真、指紋、歯形、血液型、身体的特徴など）をデータベース３より読み出し医療施設側端末２ａに送信し、医療施設側端末２ａが本人確認情報を受信し、本人確認ができた時は、医療施設側端末２ａは、確認した情報を医療情報提供サーバ１に送信し、これを受信した医療情報提供サーバ１は前記医療施設側端末２ａに要請のあった個人の医療情報を送信する。
【００３３】
また、患者本人または患者本人の家族の個人側端末２ｂから医療情報提供サーバ１に直接アクセスして、データベース３に格納された本人の医療情報を請求することもできる。前記個人側端末２ｂは、パーソナルコンピュータなどのコンピュータである。この場合は、会員番号やＩＤ番号、パスワードがわかる場合が多いので、本人確認は容易となる。個人側端末２ｂは、前記と同様にして医療情報を得ることができる。この医療情報を個人側端末２ｂで受け取った患者等の個人は、医療施設に提供したり、保険加入等のために自己申告健康カルテやレントゲン写真等を加工して、保険会社等に提出することができる。
【００３４】
保険会社側端末２ｃは、パーソナルコンピュータなどのコンピュータからなり、個人情報を、ネットワーク４および接続装置を介して医療情報提供サーバ１に対し直接アクセスすることができる。このアクセスによって、医療情報提供サーバ１はデータベース３を参照して、ＩＤ番号または住所・氏名などから個人とその個人の医療情報を特定した上で、これを保険会社側端末２ｃに送信する。この場合の保険会社側端末２ｃと医療情報提供サーバ１とのやりとりは、前記と同様である。
保険会社では、この医療情報を基に保険契約の成立，不成立や適用保険の種類、事故が発生した場合や病気入院した場合における保険料支払い金額決定の判断をすることができる。
【００３５】
前記医療情報提供サーバ１、医療施設側端末２ａ、個人側端末２ｂ、保険会社側端末２ｃを構成する各コンピュータは、医療情報の送受信をするために用いられるキーボード、ディスプレイなどの入出力装置、医療情報運用のためのプログラムを記録した読み出し専用メモリ（ＲＯＭなど）、医療情報等の書き込みおよび読み出しが可能な読み書き用メモリ（ＲＡＭなど）、各種情報の入出力制御を行う中央演算処理装置（ＣＰＵ）などを備えている。
【００３６】
また、前記データベース３に記録した医療情報は、医療機関（例えば、病院、医師）や個人からの情報により医療情報提供サーバ１によって逐次更新することが望ましい。これにより、医療施設や保険業者は、常に新しい個人の医療情報によって最適の医療処置や保険契約を実施することができる。
【００３７】
なお、前記説明のユーザ（例えば、医療施設、個人、保険会社など）は、登録会員としているが、これはプライバシー情報が保持される場合には、事情により未登録会員にも利用できるようにしてもよい。例えば、医療情報提供サーバ１の備えるデータベース３、例えば、ユーザ登録情報データベース３ｂには、未登録の医療施設、医師等のできるかぎりの情報を格納しておき、医療情報の要求があったときは、医療情報提供サーバ１は、データベース３（ユーザ登録情報データベース３ｂ）を検索し、医療施設、医師等が確認できたときは、未登録会員であっても仮のＩＤ番号やパスワードを付与して、医療情報を提供できるようにしてもよい。これにより未登録会員であっても救急患者の必要な医療措置を速やかに実施できるので好ましい。
【００３８】
この場合の一例をさらに詳しく説明する。ユーザの医療情報提供の要求があった時、要求のあったユーザが未登録であることを確認した医療情報提供サーバは、未登録のユーザの情報が格納されているかどうかデータベースを検索し、その未登録のユーザが格納されており、医療情報を提供してもよい、と判断した時は、要求された医療情報が格納されているかどうかデータベースを検索し、医療情報が格納されていた時は、医療情報提供サーバは、仮の識別情報（例えば、ＩＤ番号）あるいは認証情報（例えば、パスワード）と、要求された個人の本人確認情報を、要求のあった未登録のユーザに送信し、このユーザが本人確認情報により確認し、確かに本人であることを確認した時は、ユーザは医療情報提供サーバにその旨を送信し、医療情報提供サーバが、その確認情報を受信したら、要求された個人の医療情報を要求のあった未登録のユーザに送信する。これにより未登録会員のユーザでも医療情報提供サーバの医療情報を利用することができる。
【００３９】
なお、前記実施の形態は、本発明を制限するものではなく、本発明は要旨を逸脱しない範囲において種々の変更が許容される。
【産業上の利用可能性】
【００４０】
本発明の医療情報提供サービスシステムは、救急患者等の住所、氏名や特定のＩＤ番号に基づいて得られる患者自身の医療情報を医療施設に提供することで、医療現場において適切な医療措置を迅速に実施できるという効果を有し、医療施設等からの要請に基づき患者となる個人の医療情報を、ネットワークシステムを介して得られるようにする医療情報提供サービスシステム等に有用である。
【図面の簡単な説明】
【００４１】
【図１】本発明の実施の形態を示す医療情報提供サービスシステムのブロック図である。
【図２】本発明の実施の形態に示す医療情報提供サービスシステムの手続を示すフローチャーチである。
【図３】本発明の他の実施の形態を示す医療情報提供サービスシステムのブロック図である。
【符号の説明】
【００４２】
１  医療情報提供
２  ユーザ側端末
２ａ  医療施設側端末
２ｂ  個人側端末
２ｃ  保険会社側端末
３  データベース
３ａ  医療情報データベース
３ｂ  ユーザ登録情報データベース
４  通信ネットワーク
【図１】
2008158820.tif 000003
【図２】
2008158820.tif 000004
【図３】
2008158820.tif 000005